(57)【特許請求の範囲】
【請求項１】
光源と、前記光源に電力を伝達する導線と、を保持する光源保持部材であって、
板状の基部と、前記基部の両面側方向に突出して設けられた一方側壁と、前記基部の両面側方向に突出し、前記一方側壁と向かい合う位置に設けられた他方側壁と、を有し、前記基部と前記一方側壁及び前記他方側壁が略Ｈ字形状に連接されてなる本体部材と、
一端側に設けられた保持部と、他端側に設けられた固定部と、前記保持部と前記固定部とを連接する中間部と、を有し、前記中間部の少なくとも一部が湾曲し、前記保持部と前記固定部とが互いに向かい合う位置に形成された把持部材と、
を備え、
前記導線が前記基部の一面側に配置された際、前記保持部と前記固定部との間に前記基部及び前記導線を挟むことで、前記基部の一面側と前記保持部とで前記導線を挟持することを特徴とする、
光源保持部材。
【請求項２】
前記把持部材は、所定の領域を囲う形状に一端側を折り曲げて形成した保持部と、他端側を折り曲げて形成した固定部と、前記保持部と前記固定部とを連接する湾曲した中間部と、を有し、前記保持部と前記固定部とが互いに向かい合う位置に棒状の金属材を折り曲げて形成されることを特徴とする、
請求項１に記載の光源保持部材。
【請求項３】
前記保持部は、略円形形状に折り曲げて形成されることを特徴とする、
請求項１又は２に記載の光源保持部材。
【請求項４】
前記一方側壁の一方端側及び前記他方側壁の一方端側は、互いに近づく方向に延出する延出部がそれぞれ設けられており、
前記固定部は、それぞれの前記延出部、前記一方側壁、前記他方側壁及び前記基部によって囲われる保持領域に挿入されることで、前記把持部材を前記本体部材に固定することを特徴とする、
請求項１から３のいずれか１項に記載の光源保持部材。
【請求項５】
前記固定部は、略Ｕ字形状に形成されたことを特徴とする、
請求項１から４のいずれか１項に記載の光源保持部材。
【請求項６】
前記一方側壁は、前記他方側壁よりも大きく形成されており、
前記一方側壁は、外側面に凹凸が形成されていることを特徴とする、
請求項１から５のいずれか１項に記載の光源保持部材。
【請求項７】
請求項１から６のいずれか１項に記載の光源保持部材と、
前記本体部材に固定された光源部と、
前記本体部材に固定され、前記光源部から照射された光を拡散する導光部と、
を備えたことを特徴とする、
照明装置。
【発明の詳細な説明】
【技術分野】
【０００１】
本発明は、光源保持部材及び光源保持部材を有する照明装置に関する。
【背景技術】
【０００２】
従来、ＬＥＤを用いた照明装置において、ＬＥＤモジュールをケースやヒートシンクに固定するＬＥＤモジュール固定具が用いられている。例えば、特許文献１には、基板上にＬＥＤ光源部及び給電端子を有するＬＥＤモジュールを筐体に固定するためのＬＥＤモジュール固定具であって、給電端子にケーブルの導体箔を接触させた状態でＬＥＤモジュールとケーブルを保持するクリップ部と、基板を支持する支持部と、筐体に固定される固定部と、を有するＬＥＤモジュール固定具が記載されている。このＬＥＤモジュール固定具では、ＬＥＤモジュールの筐体へ十分に固定し、かつＬＥＤモジュールへの十分な電源供給を実現することができる。
【先行技術文献】
【特許文献】
【０００３】
【特許文献１】特開２０１４−２２６９１号公報
【発明の概要】
【発明が解決しようとする課題】
【０００４】
しかしながら、このようなＬＥＤモジュール固定具では、ケーブルを固定する際に、ケーブルの所定の位置をクリップ部で固定する必要があり、施工性が悪いという課題がある。
【０００５】
本発明は、このような課題に鑑みなされたものであり、ケーブルを容易に固定することができる光源保持部材を提供することを主目的とする。また、このケーブル保持部材を用いることで、ケーブルを容易に固定することができる照明装置を提供することも目的とする。
【課題を解決するための手段】
【０００６】
本発明は、上述の主目的を達成するために以下の手段を採った。
【０００７】
本発明の光源保持部材は、
光源と、前記光源に電力を伝達する導線と、を保持する光源保持部材であって、
板状の基部と、前記基部の両面側方向に突出して設けられた一方側壁と、前記基部の両面側方向に突出し、前記一方側壁と向かい合う位置に設けられた他方側壁と、を有し、前記基部と前記一方側壁及び前記他方側壁が略Ｈ字形状に連接されてなる本体部材と、
一端側に設けられた保持部と、他端側に設けられた固定部と、前記保持部と前記固定部とを連接する中間部と、を有し、前記中間部の少なくとも一部が湾曲し、前記保持部と前記固定部とが互いに向かい合う位置に形成された把持部材と、
を備え、
前記導線が前記基部の一面側に配置された際、前記保持部と前記固定部との間に前記基部及び前記導線を挟むことで、前記基部の一面側と前記保持部とで前記導線を挟持することを特徴とする、
ものである。
【０００８】
この光源保持部材は、本体部材と把持部材とを備えており、導線を基部の一面側に配置した状態で、保持部と固定部との間に基部及び導線を挟むことで、基部の一面側と保持部とで導線を挟持することができる。このとき、本体部材は、板状の基部と、基部の両側に設けられた一方側壁及び他方側壁とによって断面が略Ｈ字形状に形成されており、把持部材は保持部と固定部とを連接する中間部は少なくとも一部が湾曲しているため、本体部材の基部と基部の一面側に配置した導線とを把持部材で挟持することができることから、導線を基部の一面側に配置し、把持部材で挟持するという簡単な手順で、導線の任意の位置を本体部材に容易に固定することができる。
【０００９】
本発明の光源保持部材において、前記把持部材は、所定の領域を囲う形状に一端側を折り曲げて形成した保持部と、他端側を折り曲げて形成した固定部と、前記保持部と前記固定部とを連接する湾曲した中間部と、を有し、前記保持部と前記固定部とが互いに向かい合う位置に棒状の金属材を折り曲げて形成されることを特徴としてもよい。こうすれば、一端側と他端側を折り曲げることにより保持部と固定部を容易に形成することができ、この保持部と固定部との間に基部及び導線を挟むことで、基部の一面側と保持部とで導線を挟持することができる。このとき、保持部と固定部とは湾曲した中間部によって連接されるため、本体部材の基部と基部の一面側に配置した導線とを挟持することができる。こうすることにより、導線を基部の一面側に配置し、把持部材で挟持するという簡単な手順で、導線の任意の位置を本体部材に容易に固定することができる。加えて、棒状の金属材を折り曲げて形成されているため、金属材の有する弾性により、導線を基部の一面側に配置した状態で、保持部と固定部との間に基部及び導線を挟むと、互いに向き合う位置に折り曲げて形成された保持部と固定部によって基部及び導線が押圧されることになり、基部及び導線を挟持する効果が高い。
【００１０】
本発明の光源保持部材において、前記保持部は、略円形形状に折り曲げて形成されることを特徴としてもよい。こうすれば、保持部が略円形形状の面を有することになるため、導線を挟持する際、導線を押圧できる領域が大きくなり、導線をより確実に、かつ、容易に挟持することができる。
【００１１】
本発明の光源保持部材において、前記一方側壁の一方端側及び前記他方側壁の一方端側は、互いに近づく方向に延出する延出部がそれぞれ設けられており、前記固定部は、それぞれの前記延出部、前記一方側壁、前記他方側壁及び前記基部によって囲われる保持領域に挿入されることで、前記把持部材を前記本体部材に固定することを特徴としてもよい。こうすれば、四方を囲まれた保持領域に固定部が挿入されることにより、把持部材が強固に固定されることになるため、導線を容易に、かつ、強固に固定することができる。
【００１２】
本発明の光源保持部材において、前記固定部は、略Ｕ字形状に形成されたことを特徴としてもよい。こうすることにより、固定部を本体部材の一方側壁と他方側壁との間で固定した場合に、一方側壁と他方側壁とを押圧することになるため、より強固に固定部を光源保持部に固定することができる。
【００１３】
本発明の光源保持部材において、前記一方側壁は、前記他方側壁よりも大きく形成されており、前記一方側壁は、外側面に凹凸が形成されていることを特徴としてもよい。こうすることにより、この光源保持部材に光源を保持して使用する際、使用により光源で発生した熱を一方側壁から放熱することができる。このとき、一方側壁は外側面に凹凸が形成されているため、凹凸を有しない場合と比較して、より効率よく放熱することができる。また、一方側である一方側壁のみを大きく形成することで、他方側壁方向に光を照射する場合に、光の照射を妨げない。
【００１４】
本発明の照明装置は、上述したいずれかの光源保持部材と、前記本体部材に固定された光源部と、前記本体部材に固定され、前記光源部から照射された光を拡散する導光部と、を備えたことを特徴とするものである。この照明装置は、上述したいずれかの光源保持部材を備えているため、上述した光源保持部材と同様の効果、例えば、導線を基部の一面側に配置するという簡単な手順で、導線の任意の位置を本体部材に容易に固定することができるという効果を有する。
【図面の簡単な説明】
【００１５】
【図１】図１は、照明装置２０の構成の概略を示す斜視図及び部分拡大図である。
【図２】図２は、本体部材４０の構成の概略を示す斜視図である。
【図３】図３は、本体部材４０の構成の概略を示す平面図である。
【図４】図４は、把持部材５０の構成の概略を示す斜視図である。
【図５】図５は、導線２６の固定方法を説明するための部分拡大斜視図である。
【図６】図６は、拡散ドット２４のバリエーションを説明するための部分拡大斜視図である。
【発明を実施するための形態】
【００１６】
次に、本発明の実施の形態の一例として、光源保持部材３０を有する照明装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、光源保持部材３０を有する照明装置２０の使用方法の一例を示すことで、本発明の光源保持部材及び照明装置の使用方法の一例も明らかにする。
【００１７】
本発明の実施の形態の一例である照明装置２０は、図１に示すように、主に、本体部材４０及び把持部材５０からなる光源保持部材３０と、光源保持部材３０に保持される光源部６０（図３参照）と、光源部６０からの照射された光を拡散する導光部２２と、を備えている。この照明装置２０は、光源部６０から照射された光が導光部２２の主面の一方側に設けられた拡散ドット２４によって拡散され、主面の他方側に照射される。
【００１８】
導光部２２は、図１に示すように、厚さが約５ｍｍであり、略四角形形状の板状に形成された透過性を有するメタクリル樹脂製の板である。この導光部２２の主面の一方側には、複数の拡散ドット２４が形成されており、この拡散ドット２４によって、側面側（図１中、上方側又は下方側）から入射した光が主に主面の他方側に拡散される。拡散ドット２４は、図６Ａに示すように、導光部２２の主面の一方側に超音波加工によって形成されたドットである。この拡散ドット２４を超音波加工によって作製する場合には、先端面に拡散ドット２４を反転させた形状を有する加工ドットが縦横に複数マトリクス状に配置されている超音波加工ホーンを、導光部２２に対して垂直に押圧することによって、加工ドットの形状が反映された形状の四角錐型の拡散ドット２４を形成することができる。なお、個々の拡散ドット２４の大きさは、同じであっても異なっていても良い。例えば、光源から遠ざかるにつれて、四角錐型の拡散ドット２４の各辺を徐々に長くしたり、四角錐型の拡散ドット２４の深さを徐々に深くしたりしても良い。こうすれば光源から近く光が強い位置では拡散される光量が小さくなり、光源から遠ざかるにつれて拡散される光量が大きくなるため、出射する光の光量を均等に近づけることができる。また、より強く光を出射したい部分のみに大きい拡散ドット２４を形成したりしてもよいし、一部のみが異なる外観を呈するように、一部のみ異なる形状の拡散ドット２４を形成してもよい。本実施形態では拡散ドット２４の各辺の長さが約０．６ｍｍ、深さが約０．４ｍｍであり、隣り合う四角錐型の拡散ドット２４間のピッチが２．０ｍｍに形成されている。しかしながら、これに限定するものではなく、適宜好適なサイズを選択することができる。好ましくは、四角錐型の拡散ドット２４の各辺の長さは、０．２ｍｍ〜１．５ｍｍで選択するとよい。また、四角錐型の拡散ドット２４の深さは、０．４ｍｍ〜０．８ｍｍで選択するとよい。また、隣り合う四角錐型の拡散ドット２４間のピッチについても特に限定するものではなく、例えば、１．５ｍｍ〜８．０ｍｍのピッチの間から適宜選択することができる。好ましくは、１．５ｍｍ〜３．０ｍｍのピッチに作製するとよい。なお、説明の都合上、図１中において、拡散ドット２４は部分拡大図内のみ記載し、他の部分において記載を省略した。また、部分拡大図中の拡散ドット２４は、実際の大きさ及びピッチよりも大きく記載した。
【００１９】
光源保持部材３０は、図１に示すように、本体部材４０と、把持部材５０と、からなり、把持部材５０が本体部材４０の端部に嵌め込まれた状態で使用される。
【００２０】
本体部材４０は、図２に示すように、板状の基部４２の両側面側で、両面方向に向かって一方側壁４４及び他方側壁４６が設けられており、一方側壁４４及び他方側壁４６は、互いに向かい合った位置に位置し、かつ、基部４２の両面側方向に突出している。この状態で、基部４２と一方側壁４４及び基部４２と他方側壁４６とは、互いに略直角にそれぞれ連接されており、本体部材４０の断面形状は、略Ｈ字形状を形成している。このとき、一方側壁４４は他方側壁４６と比較して大きく、側壁面に凹凸４４ａを有している。こうすることで、図１に示すように、導光部２２を組み付けた際、導光部２２から他方側壁４６側に光が拡散されることを妨げること無く、一方側壁４４から光源部６０によって発生した熱を放熱することができる。また、図２に示すように、一方側壁４４の一方端側（図２中、下方側）には、他方側壁４６の方向に延出する延出辺４８ａが、他方側壁４６の一方端側（図２中、下方側）には、一方側壁４４の方向に延出する延出辺４８ｂが、それぞれ設けられており、基部４２、一方側壁４４及び他方側壁４６、延出辺４８ａ及び延出辺４８ｂ（以下、「延出辺４８」ともいう。）によって囲まれる保持領域αを形成する。この保持領域αに把持部材５０の一部を挿入することで、本体部材４０に把持部材５０を固定することができる。
【００２１】
把持部材５０は、図４に示すように、棒状の金属製部材を折り曲げて形成された部材である。この把持部材５０は、一端側に略円形の領域を囲う形状に折り曲げられた保持部５２を有し、他端側に略Ｕ字形状に湾曲した固定部５４を有している。この保持部５２と固定部５４とは中間部５６を介して互いに連接しており、中間部５６と保持部５２との間に設けられた曲部５６ａと、中間部５６と固定部５４との間に設けられた曲部５６ｂと、によってそれぞれ折り曲げられ、保持部５２と固定部５４とが互いに向かい合う位置に位置決めされている。言い換えると、保持部５２が形成する略円形形状の面と、固定部５４が形成する略Ｕ字形状の面とが、互いに略平行となるように、保持部５２及び固定部５４が位置決めされている。このため、図５に示すように、保持部５２と固定部５４との間に基部４２及び導線２６を挟み込むと、保持部５２と固定部５４とは互いに中間部５６を介してお互い平行となるように折り曲げられているため、保持部５２が導線２６を基部４２の方向に押圧し、固定部５４と保持部５２とで導線２６及び基部４２を挟持することができる。
【００２２】
ここで、固定部５４について、更に詳しく説明する。固定部５４は、図４及び図５に示すように、固定部５４の先端側に位置する先端部位５４ａと、中間部５６側に位置する内側部位５４ｂとが湾曲した中央部位５４ｃによって連接され、全体として略Ｕ字形状となるように形成されている。このように、棒状の金属製部材を湾曲させて中央部位５４ｃとすることで、固定部５４の先端側と中間部５６側とが互いに近づく方向に押圧されると、互いに離れる方向に弾性力が働くことになる。このため、保持領域α（図２参照）に固定部５４が挿入されると、一方側壁４４と他方側壁４６とをそれぞれ先端部位５４ａと内側部位５４ｂとが押圧することになり、保持領域αに固定部５４が強固に固定されることになる。こうすることで、光源部６０に電力を供給する導線２６が、光源保持部材３０に光源部６０を固定されると同時に、本体部材４０に把持部材５０で固定されるため、導線２６を容易に、かつ、強固に固定することができる。
【００２３】
光源部６０は、図３に示すように、基板６２と、この基板６２に所定の間隔で実装された複数の白色の表面実装型の平面発光型ＬＥＤ６４（以下、「ＬＥＤ６４」と言う。）と、からなり、本体部材４０の基部４２の一面側に図示しない両面テープ等で貼着されている。このため、ＬＥＤ６４が使用により発熱した場合には、基板６２を介して本体部材４０から放熱される。こうすることにより、ＬＥＤ６４が高温により誤作動したり破損したりする可能性を未然に低減することができる。
【００２４】
次に、照明装置２０の組み立て方法の一例について説明する。照明装置２０を組み立てる際には、まず、基部４２の一面側の所望の位置に光源部６０を配置し、両面テープ等で基部４２の一面側に貼着する。続いて、隣り合うＬＥＤ６４とＬＥＤ６４との間に、略円筒形状の緩衝部材６６を適宜配置する（図３参照）。この緩衝部材６６は、一方側壁４４と他方側壁４６との間に導光部２２が固定される際、導光部２２の下方側を支え、導光部２２と基部４２の一面側に貼着された光源部６０とが接触する可能性を未然に低減している。付言すると、導光部２２を固定する際、導光部２２と光源部６０とが接触し、光源部６０が破損する可能性を未然に低減している。
【００２５】
次に、図５Ｂに示すように、基部４２と導線２６とを挟んだ状態で、把持部材５０を本体部材４０に取り付ける。具体的には、導線２６の上側に保持部５２が位置した状態で、図５Ａ中の矢印の方向に把持部材５０を移動し、保持領域αに固定部５４を挿入する。こうすることで、図５Ｂに示すように、曲部５６ａ及び曲部５６ｂの弾性により、保持部５２によって導線２６が基部４２に押圧され、所定の位置で本体部材４０に固定される。このとき、保持領域αに挿入された固定部５４の内側部位５４ｂが他方側壁４６を、先端部位５４ａが一方側壁４４をそれぞれ押圧することにより、保持領域αに固定部５４が強固に固定される。加えて、保持領域αに固定部５４が入り込むため、把持部材５０で導線２６を挟んだ状態で延出辺４８側を積置したり、他の部材に固定したりした場合であっても、把持部材５０が妨げになることが無い。言い換えると、一方側壁４４及び他方側壁４６が基部４６の他面側方向に突出することで、照明装置２０を積置したり、固定したりすることを容易にすることができる。
【００２６】
最後に、一方側壁４４と他方側壁４６との間に導光部２２を挟み込むことで、図１に示すように、照明装置２０を組み立てることができる。この照明装置２０では、光源部６０から導光部２２に照射された光が拡散されることで、主面方向を照らすことができる。
【００２７】
以上詳述された実施の形態の光源保持部材３０は、本体部材４０と把持部材５０とを備えており、導線２６を基部４２の一面側に配置した状態で保持部５２と固定部５４との間に基部４２及び導線２６を挟むことで、導線２６を固定することができる。このように、導線２６を基部４２の一面側に配置した状態で簡単に導線２６を本体部材４０に固定することができる。
【００２８】
また、把持部材５０は、棒状の金属材を折り曲げて形成されているため、曲部５６ａ及び曲部５６ｂがそれぞれ弾性を有し、保持部５２と固定部５４とで導線２６を基部４２に押圧することになり、基部４２及び導線２６を強固に挟持することができる。
【００２９】
更に、保持部５２は、略円形に折り曲げて形成されているため、導線２６を基部４２に挟持する際には、略円形形状の面で導線２６を押圧することができるため、略円形に折り曲げていない場合と比較して、導線２６を確実、かつ、容易に挟持することができる。
【００３０】
更にまた、導線２６を固定する際には、保持領域αに固定部５４を挿入して固定することになるため、固定部５４が保持領域αを構成する延出辺４８、一方側壁４４及び他方側壁４２によって囲まれることになり、固定部５４が強固に固定されることになる。このため、導線２６を強固に挟持することができる。
【００３１】
そして、固定部５４の一辺側が開口した略Ｕ字形状に折り曲げて形成されているため、固定部５４を固定する際、固定部５４の先端部位５４ａ及び内側部位５４ｂに互いに遠ざかる方向に弾性力が生じ、一方側壁４４及び他方側壁４６を固定部５４の内側部位５４ｂ及び先端部位５４ａがそれぞれ押圧することになる。このため、保持領域αに固定部５４を強固に固定することができる。
【００３２】
そしてまた、一方側壁４４は他方側壁４６よりも大きく形成されており、一方側壁４４は外側面に凹凸が形成されているため、他方側壁４６側に拡散される光を妨げること無く、凹凸を有する一方側壁４４から効率的に光源部６０で発生した熱を放熱することができる。
【００３３】
そして更に、照明装置２０は、光源保持部材３０を備えているため、上述したいずれかの効果、例えば、導線２６を本体部材４０に容易に固定することができるという効果を有する。
【００３４】
なお、本発明は上述した実施の形態に何ら限定されることはなく、本発明の技術的範囲に属する限り種々の態様で実施し得ることはいうまでもない。
【００３５】
例えば、上述した実施の形態では、保持部５２は、略円形形状に折り曲げて形成されるものとしたが、略円形形状に限定されるものではなく、例えば、楕円形形状や矩形形状、多角形形状等であっても良い。また、折り曲げて形成することに限定されるものではなく、所定の形状の板状部材を用いてもよい。いずれの場合であっても、上述した実施の形態と同様の効果を得られる。
【００３６】
上述した実施の形態では、固定部５４は略Ｕ字形状の部材であるものとしたが、略Ｕ字形状に限定されるものではなく、一方側が開放された円形形状や楕円形形状、多角形形状であっても良いし、略矩形形状であっても良い。また、一方側が開放されていなくとも良い。保持領域αに挿入可能な形状であれば、どのような形状であっても、把持部材５０を固定することができる。
【００３７】
上述した実施の形態では、把持部材５０は金属製であるものとしたが、金属製に限定されるものではなく、例えば、天然ゴムや合成樹脂等の種々の材料を用いることができる。この場合であっても、保持領域αに挿入することで、把持部材５０を固定することができる。
【００３８】
上述した実施の形態では、一方側壁４４の壁面に凹凸４４ａを有するものとしたが、凹凸４４ａは無くとも良い。この場合であっても、他方側壁４６と比較して広く形成された一方側壁４４から、光源部６０で発生した熱を放熱することができる。また、一方側壁４４と他方側壁４６とは、同一の形状であっても良い。
【００３９】
上述した実施の形態では、拡散ドット２４は超音波加工によって形成されたドットであるものとしたが、拡散ドット２４として形成される拡散凹部の形状及び大きさは、特に限定するものではない。適宜様々な形状及び大きさの拡散凹部からなる拡散ドット２４を採用することができる。例えば、図６Ａは、四角錐形状の拡散凹部からなる拡散ドット２４を示している。図６Ｂは、円錐側の拡散凹部からなる拡散ドット２４を示している。図６Ｃは、四角柱型の拡散凹部からなる拡散ドット２４を示している。図６Ｄは、四角錐台形の拡散凹部からなる拡散ドット２４を示している。図６Ｅは、半球型の拡散凹部からなる拡散ドット２４を示している。また作製方法としては、超音波加工方法に限定されるものではなく、超音波加工、加熱加工、レーザー加工、切削加工等種々の加工方法を採用してもよいし、予め凹凸が刻まれた金型を用いて射出成形等の方法を用いてもよい。また、例えば、図６Ｆに示すように、凸状の膨らんだ拡散凸部であってもよい。拡散凸部は、クリーン印刷やシルク印刷等によって、盛り上がるように（凸状）主面に形成する。また、この拡散ドット２４は、主面の一面にのみ設けられていても良いし、両面に設けられていても良い。
【００４０】
上述した実施の形態では、導光部２２の上方及び下方に光源保持部材３０を設けるものとしたが、上方又は下方のいずれか一方に設けても良いし、右方又は左方の両方又はいずれか一方に設けても良い。いずれの場合も、上述した実施の形態と同様の効果が得られる。
【００４１】
上述した実施の形態では、ＬＥＤ６４は、平面発光型の発光ダイオードとしたが、平面発光型に限定されるものでなく、側面発光型、砲弾型等いずれのタイプであってもよい。また、ＬＥＤ６４の色は白色に限定されるものではなく、いずれの色であっても良い。
【００４２】
上述した実施の形態では、導光部２２は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【産業上の利用可能性】
【００４３】
上述した実施の形態で示すように、照明分野、特に、照明装置及びその照明装置に光源を固定する光源保持部材として利用することができる。
【符号の説明】
【００４４】
２０…照明装置、２２…導光部、２４…拡散ドット、２６…導線、
３０…光源保持部材、４０…本体部材、４２…基部、
４４…一方側壁、４４ａ…凹凸、４６…他方側壁、４８、４８ａ、４８ｂ…延出辺、
５０…把持部材、５２…保持部、５４…固定部、
５４ａ…先端部位、５４ｂ…内側部位、５４ｃ…中央部位、
５６…中間部、５６ａ、５６ｂ…曲部、６０…光源部、
６２…基板、６４…ＬＥＤ、６６…突起部、α…保持領域。
【図１】
0006346864.tif 000002
【図２】
0006346864.tif 000003
【図３】
0006346864.tif 000004
【図４】
0006346864.tif 000005
【図５】
0006346864.tif 000006
【図６】
0006346864.tif 000007